(57)【要約】【課題】  撮影時に移動したルートデータと、画像データを撮影した撮影ポイントとを地図データから容易に把握でき、データ量を抑制した構造の電子アルバムを作成する。【解決手段】  ナビゲーションシステムから位置データを取得してルートデータを生成し、位置データに画像データを関連付けるリンクデータを生成し、再生時には、位置データに対応する地図データ上にルートデータ１１０を表示し、このルートデータ上を車輌シンボル１１１を移動させて撮影ポイントＰに達する毎に画像データを表示する電子アルバムを生成する。この電子アルバムを記憶媒体に保存する場合には、スタートポイントＳＰから全ての撮影ポイントＰの表示が可能な縮尺で少ないデータ量の地図データを記憶する。【選択図】        図２０
2006126953.tif 000002
【特許請求の範囲】
【請求項１】
複数の画像データと、画像データと関連する地図データとをパーソナルコンピュータで再生可能な記憶媒体に記憶する電子アルバム作成装置であって、
所定の時間内に位置取得手段で取得した複数の位置データをグループ化してルートデータとしてルートデータ記憶部に記憶するルートデータ記憶手段と、画像データ取得部で取得した画像データを画像データ記憶部に記憶する画像データ記憶手段と、夫々の画像データの撮影ポイントに対応する前記位置データに対して画像データを関連付けるリンクデータをリンクデータ記憶部に記憶するリンク処理手段とを備え、
メディアドライブにセットされた記憶媒体にデータを記憶することにより電子アルバムを作成する電子アルバム作成手段を備え、
この電子アルバム作成手段は、前記ルートデータ記憶部に記憶したルートデータと、前記画像データ記憶部に記憶した画像データと、前記リンクデータ記憶部に記憶したリンクデータと、前記ルートデータを構成する複数の位置データに対応した概略地図データと、シミュレーションプログラムとを前記記憶媒体に記憶する処理を行うと共に、
前記シミュレーションプログラムは、前記パーソナルコンピュータにおいて前記ルートデータを構成する前記複数の位置データに対応した指標を前記概略地図データ上に表示し、その指標に対応する位置データにリンクデータによって関連付けられた画像データの表示を行うように処理形態が設定されている電子アルバム作成装置。
【請求項２】
前記電子アルバム作成手段は、該電子アルバム作成装置の内部に予め記憶した前記概略地図データ、又は、該電子アルバム作成装置の外部から供給される前記概略地図データを前記記憶媒体に記憶する処理を行うように構成されている請求項１記載の電子アルバム作成装置。
【請求項３】
前記位置取得手段が、ナビゲーションシステムにおいてＧＰＳ衛星からの信号を受信することによって位置データを取得するＧＰＳユニットで構成され、
前記ナビゲーションシステムが前記ＧＰＳユニットで取得した位置データに対応する地図データと前記指標とが表示されるディスプレイを備えて構成されている請求項１記載の電子アルバム作成装置。
【請求項４】
前記ナビゲーションシステムに備えられた複数種の縮小率の地図データのうち、前記ルートデータの始端位置と終端位置とを同時に表示し得る縮小率のものによって前記概略地図データが構成されている請求項３記載の電子アルバム作成装置。
【請求項５】
前記電子アルバム作成手段は、前記ルートデータ記憶部に記憶した複数のルートデータに識別可能なタイトルを付与する処理を許し、タイトルが付与された複数のルートデータと、夫々のルートデータに関連する画像データ、リンクデータ、概略地図データ夫々を記録媒体に記録する処理を行うように処理形態が設定されている請求項１〜４のいずれか１項に記載の電子アルバム作成装置。
【発明の詳細な説明】
【技術分野】
【０００１】
本発明は、複数の画像データと、画像データと関連する地図データとをパーソナルコンピュータで再生自在な記憶媒体に記憶する電子アルバム作成装置に関する。
【背景技術】
【０００２】
上記した電子アルバム作成装置と関連する技術として、パーソナルコンピュータで再生自在な記憶媒体にデータ記憶するものではないが、ＧＰＳ装置に接続する又はＧＰＳ装置を備えたカメラで撮影された電子画像（本発明の画像データ）を取得し、インターネットを介して台紙を取得し、この台紙に対して電子画像を貼り付けることによって電子アルバムを作成するシステムが存在する（例えば、特許文献１参照）。
【０００３】
この特許文献１では、台紙データとして電子地図（本発明の地図データ）をダウンロードし、経度、緯度、日時情報が付加された電子画像を台紙の撮影ポイントに対してサムネイルとして貼り付けことによって電子アルバムを作成し、作成した電子アルバムをインターネット上で公開する点が記載されている。また、この特許文献１では、電子アルバムを携帯情報端末やフォトビューワに取り込んで形態することや、台紙をめくるように表示を行って良い点が記載されている。
【０００４】
【特許文献１】特開２００２‐３２９１９１号公報  （段落番号〔００２４〕〜〔００８０〕、図１、図４）
【発明の開示】
【発明が解決しようとする課題】
【０００５】
デジタルカメラの高性能化、低価格化に従って、一般家庭においてもデジタルカメラを用いる機会が増大しており、例えば、スナップ写真や、記念写真、あるいは、観光地で風景写真を撮影する機会も増大している。このように撮影した画像データはプリントし、アルバムとして保存するのが理想である。しかしながら、多くの画像データを整理しアルバムに貼り付ける作業は手間が掛かるものであり、パーソナルコンピュータで再生可能な構造の電子アルバムを作成することが考えられている。
【０００６】
また、電子アルバムを作成する場合に、特許文献１にも記載されているように、画像データが撮影された位置を地図データ上に表示するものでは、視覚的に撮影ポイントを把握でき、アルバムを鑑賞した場合に思い出を容易に呼び起こす点において有効である。また、特許文献１に記載されるように台紙（地図データ）をめくるようにして表示を切り換えるものは、操作に手間が掛かる点において改善の余地がある。
【０００７】
このような理由から、例えば、旅行において移動したルートを地図データ上に表示し、そのルート上をトレースする形態（移動させる）となるように、旅行に用いた自家用車等のシンボルを表示し、そのシンボルが撮影ポイントに達する毎に地図データの表示を行うことも考えられる。しかしながら、例えば、カーナビゲーションシステムに用いられる地図データをそのまま用いて電子アルバムを作成する処理を考えると、カーナビゲーションに用いる地図データは、道路の状況を高い精度で詳細に示す目的からデータ量が大きいものであるため、この地図データを用いて電子アルバムを作成すると、電子アルバムのデータ量が増大し、記憶すべき画像データの数が少なくなる等、電子アルバムを作成する点において改善の余地がある。
【０００８】
本発明の目的は、撮影時に移動したルートと、画像データを撮影した撮影ポイントとを地図データから容易に把握できると同時に、データ量を抑制した構造の電子アルバムを作成し得る装置を合理的に構成する点にある。
【課題を解決するための手段】
【０００９】
本発明の特徴は、複数の画像データと、画像データと関連する地図データとをパーソナルコンピュータで再生可能な記憶媒体に記憶する電子アルバム作成装置において、
所定の時間内に前記位置取得手段で取得した複数の位置データをグループ化してルートデータとしてルートデータ記憶部に記憶するルートデータ記憶手段と、画像データ取得部で取得した画像データを画像データ記憶部に記憶する画像データ記憶手段と、夫々の画像データの撮影ポイントに対応する前記位置データに対して画像データを関連付けるリンクデータをリンクデータ記憶部に記憶するリンク処理手段とを備え、
メディアドライブにセットされた記憶媒体にデータを記憶することにより電子アルバムを作成する電子アルバム作成手段を備え、
この電子アルバム作成手段は、前記ルートデータ記憶部に記憶したルートデータと、前記画像データ記憶部に記憶した画像データと、前記リンクデータ記憶部に記憶したリンクデータと、前記ルートデータを構成する複数の位置データに対応した概略地図データと、シミュレーションプログラムとを前記記憶媒体に記憶する処理を行うと共に、
前記シミュレーションプログラムは、前記パーソナルコンピュータにおいて前記ルートデータを構成する前記複数の位置データに対応した指標を前記概略地図データ上に表示し、その指標に対応する位置データにリンクデータによって関連付けられた画像データの表示を行うように処理形態を設定した点にある。
【００１０】
この構成により、記憶媒体には複数の位置データで構成されるルートデータと、画像データと、リンクデータと、概略地図データと、シミュレーションプログラムとが記憶され、この記憶媒体をパーソナルコンピュータにセットしてシミュレーションプログラムを実行した場合には、ルートデータを構成する複数の位置データが指定されることにより、その位置データに対応する概略地図データがパーソナルコンピュータのディスプレイに表示され、かつ、この指標が概略地図データのルート上を移動する形態で表示され、その指標に対応する位置データにリンクデータによって関連付けられた画像データの表示が行われる。また、概略地図データはナビゲーション時にディスプレイに表示される詳細な地図データと比較してデータ量を少なくして、記憶媒体に記憶するデータ量の低減が可能となる。その結果、撮影時に移動したルートと、画像データを撮影した撮影ポイントとを地図データから容易に把握できると同時に、データ量を抑制した構造の電子アルバムを作成し得る装置が合理的に構成されたのである。
【００１１】
本発明は、前記電子アルバム作成手段として、該電子アルバム作成装置の内部に予め記憶した前記概略地図データ、又は、該電子アルバム作成装置の外部から供給される前記概略地図データを前記記憶媒体に記憶する処理を行うように構成しても良い。
【００１２】
この構成により、電子アルバムを作成する場合には、装置内部の概略地図データを利用できるばかりでなく、市販されているデータ量が異なる任意の地図データや、イラストや観光マップ等からオペレータが選択したものを概略地図データとして用いることが可能となる。
【００１３】
本発明は、前記位置取得手段が、ナビゲーションシステムにおいてＧＰＳ衛星からの信号を受信することによって位置データを取得するＧＰＳユニットで構成され、
前記ナビゲーションシステムが前記ＧＰＳユニットで取得した位置データに対応する地図データと前記指標とを表示するディスプレイを備えて構成されても良い。
【００１４】
この構成により、車載型や携帯型のナビゲーションシステムを用いることが可能となり、ＧＰＳ衛星からの電波に基づいて位置データを取得することにより、精度良くルートデータを生成できる。
【００１５】
本発明は、前記ナビゲーションシステムに備えられた複数種の縮小率の地図データのうち、前記ルートデータの始端位置と終端位置とを同時に表示し得る縮小率のものによって前記概略地図データを構成しても良い。
【００１６】
この構成により、表示した地図データをスクロールすることなく、全てのルートを表示できるので、極めて少ないデータ量の地図データを概略地図データに設定し、記録媒体に記録されるデータ量を、一層低減できる。
【００１７】
本発明は、前記電子アルバム作成手段として、前記ルートデータ記憶部に記憶した複数のルートデータに識別可能なタイトルを付与する処理を許し、タイトルが付与された複数のルートデータと、夫々のルートデータに関連する画像データ、リンクデータ、概略地図データ夫々を記録媒体に記録する処理を行うように処理形態を設定しても良い。
【００１８】
この構成により、記録媒体にデータを保存して電子アルバムを作成した場合には、タイトルを指定することにより、そのタイトルが付されたルートに対応した地図データと画像データとをパーソナルコンピュータで表示できる。
【発明を実施するための最良の形態】
【００１９】
以下、本発明の実施形態を図面に基づいて説明する。
図１、図２に示すように、アンテナユニットＡで受信したＧＰＳ衛星からの信号、及び、車輌の走行駆動系に備えた車速センサＳからの車速パルス信号が入力するシステム本体Ｂを備え、このシステム本体Ｂの内部に処理装置Ｄ（ナビゲーション部の一例）を備え、このシステム本端Ｂと分離する構造のドライブユニットＥ（メディアドライブの一例：画像データ取得手段及び出力部としても機能する）を備えて電子アルバム作成装置として機能するナビゲーションシステムが構成されている。
【００２０】
このナビゲーションシステムは、複数の画像データ、及び、位置データ、これらに関連する地図データ等のデータを前記ドライブユニットＥを用いてＤＶＤ−ＲやＣＤ−Ｒ等のディスク状の記憶媒体Ｍｄに記憶することにより電子アルバムを作成する機能を有するものであり、作成された電子アルバムは、パーソナルコンピュータ１２０（図１９を参照）にセットすることにより地図データに撮影ポイントを示す状態で画像データを再生するシミュレーションプログラムを備えている。
【００２１】
前記システム本体Ｂの前面には、ディスプレイＣ（表示部の一例）と、必要な情報を入力する複数のスイッチ１と、音声情報を出力するスピーカ２と、リモートコントローラ３からの赤外線信号を受信する赤外線センサ４とが形成され、このシステム本体Ｂの側面には画像データをアクセスするための入出力ターミナル５と、マイクロホン１９のジャック１９Ａと接続するコネクタＧとが形成されている。
【００２２】
本発明のナビゲーションシステムは、自家用車の運転座席１００の前方位置のメータパネル１０１の側部のコンソール１０２に取り付けられ、ＧＰＳ衛星からの信号と車速センサＳからの車速パルス信号とに基づき車輌の走行時において、その車輌が存在する位置データ（経度・緯度のデータ）をリアルタイムで取得し、位置データに対応する地図データを、前記ディスプレイＣに対して設定された縮尺で表示し、かつ、その地図データ上に車輌の位置を車輌シンボル（指標の一例）で表示する性能を具備するものである。また、このナビゲーションシステムは目的地を指定することにより、その目的地に至るために走行すべきルートデータを地図上に表示し、走行時において案内（ナビゲーション）する能力も具備している。
【００２３】
このような性能のナビゲーションシステムは従来からのものと基本的に変わるものではなく、本発明のナビゲーションシステムでは、車輌が走行したルートデータ上に複数の画像データを関連付け、電子アルバム化してシステムに記憶する処理を行い、また、電子アルバム化して記憶したデータを前記シミュレーションプログラムによってディスプレイＣに表示する処理を行い、更に、電子アルバム化したデータを、例えば、ディスク状の記憶媒体Ｍｄ等に対して電子アルバムとして記憶する処理を行えるよう構成されている。
【００２４】
前記ディスプレイＣは、前記地図データや画像データ等の必要なデータを表示する液晶表示部６と、指先等の接触操作を検出するタッチパネル部７とを備えている。前記複数のスイッチ１はナビゲーションシステムのＯＮ・ＯＦＦを含め、表示モードの切換え等の処理を実現する。前記リモートコントローラ３はシステム本体Ｂから離間した位置から必要とする操作を実現する。前記スピーカ２は人の言葉による案内等を行うために用いられると共に、後述する音楽データの再生するために用いられる。
【００２５】
前記ドライブユニットＥ（画像データ取得部の一例）は、デジタルカメラ１０５で撮影された画像データが記憶されたフラッシュメモリ等の半導体型の記憶媒体Ｍｓからのデータを取得する（読み出す）半導体ドライブ８と、ＣＤ−ＲやＤＶＤ−Ｒ等の複数種の大容量のディスク状の記憶媒体Ｍｄからのデータの取得と書き込みとを可能にするディスクドライブ９とを備えている。尚、半導体ドライブ８は、コンパクトフラッシュ（登録商標）やスマートメディア(登録商標)やメモリースティック(登録商標)等の複数種のフラッシュメモリに対応できるよう複数の挿入部を備えている。
【００２６】
前記入出力ターミナル５（画像データ取得部の一例）は、デジタルカメラと１０５の間に配置されるＵＳＢ（ Universal Serial Bus ）規格やＩＥＥＥ１３９４規格等のケーブル１０６を介してデジタルカメラ１０５に記憶されている画像データを直接取得するために機能するものである。尚、本発明は、無線によってデジタルカメラ１０５の画像データを取得するものを除外するものではなく、画像データ取得手段として Bluetooth（ブルートゥース）のように無線を利用して画像データを送るものを採用しても良い。
【００２７】
このナビゲーションシステムの構成を図３のように示すことが可能である。つまり、前記システム本体Ｂにはマイクロプロセッサへの情報のアクセスを実現する入出力インタフェース１０を備えており、この入出力インタフェース１０に対して位置取得手段Ｌ（ＧＰＳユニットの一例）、前記液晶表示部６、前記タッチパネル７、前記複数のスイッチ１、前記スピーカ２、前記赤外線センサ４、前記入出力ターミナル５、前記半導体ドライブ８、前記ディスクドライブ９、前記コネクタＧ、ハードディスクＨＤ夫々からのデータをアクセスする信号系を形成している。
【００２８】
前記位置取得手段Ｌは、前記アンテナユニットＡで受信したＧＰＳ衛星からの電波を取り込むと同時に、前記車速センサＳからの車速パルス信号を取り込むことによりリアルタイムで車輌の位置データ（経度・緯度のデータ）と、この位置データを取得した時刻をタイミングデータとして取得する。また、この位置取得手段Ｌは、地上の複数の電波発信源からの電波によって位置情報を取得するものであっても良く、車輌の姿勢を検出するジャイロスコープや、車輌の加速度を検出する加速度センサや、地上の発信源からの電波を併用することにより車輌の位置情報の精度を高めるものであっても良い。
【００２９】
前記ハードディスクＨＤは、ルートデータを記憶するルートデータ記憶部、画像データを記憶する画像データ記憶部、及び、リンクデータを記憶するリンクデータ記憶部としての機能を有すると共に、予め設定された領域の地図データを記憶する地図データベースとして機能し、更に、音楽データを記憶する音楽データベースとして機能するものである。特に、地図データベースとして処理装置Ｄに対して着脱可能なハードディスク（記憶手段の一例）や、前記ディスクドライブ９にセットされたＤＶＤ−ＲＯＭ（記憶手段の一例）で構成することも可能であり、このように地図データベースを構成した場合にはオペレータが必要とする地域や詳細な地図データや、後述する概略地図データとしてイラストや観光マップを用いることも可能となる。
【００３０】
前記処理装置Ｄは、マイクロプロセッサからのデータバスに接続する半導体メモリＲＡＭ／ＲＯＭ、不揮発性メモリＥＥＰＲＯＭ、マップマッチング手段１１、ナビゲーション手段１２、ルートデータ記憶手段１３、画像データ記憶理手段１４、リンク処理手段１５、出力制御手段１６、アルバム化手段１７、アルバム作成手段１８（電子アルバム作成手段の一例）を備えている。ちなみに、この処理装置Ｄにおいて制御を実現するためにはデータバスの他にコントロールバスやアドレスバス等を必要とするものであるが、複雑化を避けるために図面にはコントロールバスやアドレスバス、あるいは、インタフェース類は示していない。
【００３１】
前記マップマッチング手段１１は、前記位置取得手段Ｌからの位置データに対応する地図データを前記ハードディスクＨＤに記憶された地図データベースから抽出してディスプレイＣに対して予め設定された縮尺（拡大率）で表示する処理を行う。前記ナビゲーション手段１２は、予め設定された目的地に至るルートを前記地図データから抽出して地図データ上にライン状に表示し、交差点等のポイントにおいて右折や左折等の必要な操作をディスプレイＣに表示し、かつ、この右折や左折等の必要な操作を前記スピーカ２から人の言葉で出力する処理を行う。尚、ナビゲーション手段１２によってナビゲーションを行う場合には、後述する車輌シンボル１１１（指標の一例・図１０、図１１を参照）を画面の中央位置に表示する表示モードが選択された場合には、車輌の走行に伴い地図データが、左右方向や上下方向にスクロールする表示形態となり、また、地図データを固定した状態で車輌シンボル１１１をルートデータ上を移動させる表示モードが選択された場合には、車輌の走行に伴い車輌シンボル１１１が画面の端部近くに達することにより地図データがスクロールする表示形態となる。
【００３２】
前記ルートデータ記憶手段１３は、前記位置取得手段Ｌで設定されたインターバル毎（所定の時間内）に取得した位置データを、夫々の位置データを取得したタイミング毎に前記ルートデータ記憶部としてのハードディスクＨＤに書き込むことにより車輌が走行したルートに含まれる複数の位置データをグループ化したルートデータとして記憶する処理を行う。ちなみに、このルートデータ記憶手段１３で記憶したルートデータ１１０をディスプレイＣに表示した場合には図１０、図１１において破線で示すように表示するものとなり、このルートデータ１１０上に車輌シンボル１１１が示され、このルートデータ１１０上に後述する撮影ポイントＰが示される。
【００３３】
前記画像データ記憶手段１４は、前記半導体ドライブ８、ディスクドライブ９、あるいは、入出力ターミナル５を介して取得した画像データを前記画像データ記憶部としてのハードディスクＨＤに記憶する処理を行うものであり、複数の画像データをハードディスクＨＤに記憶する際には、図５に示すようにディスプレイＣに画像データの取り込みを可能にする選択画面２０を表示し、この選択画面２０において必要な画像データを指定することにより選択した画像データを記憶するように機能する（この機能は後述する）。
【００３４】
前記リンク処理手段１５は、前記位置データを取得したタイミングを特定するタイミングデータを取得するタイミングデータ取得部と、画像データに付随するＥｘｉｆデータから撮影日時データを取得する撮影日時データ取得部と、これらタイミングデータと撮影日時データとからリンクデータを生成するリンクデータ生成部とを備えている。尚、これらタイミングデータ取得部、撮影日時データ取得部、リンクデータ生成部夫々は後述するように画像データを電子アルバム化する際に有効に機能する。
【００３５】
前記Ｅｘｉｆデータは、画像データに付随するものであり、その構造の一例を図１２のように表すことが可能である。このＥｘｉｆデータのメイン情報にはデジタルカメラのメーカー名と機種名とが記憶され、サブ情報として露出時間や画像幅や画像高さのデータの他に、オリジナル撮影日時が年、月、日、時間、分、秒の単位で記憶されており、前記リンク処理手段１５の撮影日時取得部が、オリジナル撮影日時のデータを撮影日時データとして取得する。
【００３６】
前記出力制御手段１６は、前記シミュレーションプログラムを含んで構成され、システムに電子アルバム化して記憶されているデータを再現モードで再生する処理を行った場合には、前記シミュレーションプログラムがディスプレイＣに地図データを表示し、前記ルートデータとしてグループ化して前記ハードディスクＨＤに記憶している位置データを取得した順序に従って順次指定し、位置データに関連付けられている画像データをディスプレイＣに表示する処理を実行し、また、システムに電子アルバム化して記憶されているデータを実走行モードで再生する場合には、車輌の走行に伴いリアルタイムで前記位置取得手段Ｌから位置データを取得し、その位置データに対応する地図データを前記マップマッチング手段１１での処理によりディスプレイＣに表示しながら（ナビゲーションを行いながら）、その位置データと関連付けられた画像データをディスプレイＣに表示する処理を行うものである。
【００３７】
アルバム化手段１７は、前記ルートデータ１１０と、そのルートデータ１１０上に存在する複数の位置データ（撮影ポイントＰ）に関連付けられた複数の画像データと、ルートデータ１１０に対応する地図データを示すインデックスデータと、関連付けられた音楽データが存在する場合には、その音楽データを示すインデックスデータとを電子アルバム化してシステム（ハードディスクＨＤ）に記憶する処理を行うものである。
【００３８】
因みに、電子アルバム化する場合には、ルートデータに対応したファイルを新たに生成し、タイトルを付してハードディスクＨＤに記憶し、そのファイルに複数の位置データと複数の画像データとが記憶されることになるが、地図データや音楽データをファイルに記憶した場合には、そのファイルのデータ量が増大し過ぎるため、地図データのインデックスデータと、音楽データのインデックスデータとを記憶しておき、後述する再生処理においては、インデックスデータに基づいて地図データを抽出して表示し、インデックスデータに基づいて音楽データを再生するよう処理形態を設定しているのである。
【００３９】
前記アルバム作成手段１８は、選択したルートデータ１１０と、そのルートデータ１１０上に存在する複数の位置データ（撮影ポイント）に関連付けられた複数の画像データと、ルートデータ１１０に対応する地図データと、関連付けられた音楽データが存在する場合には、その音楽データとをディスク状の記憶媒体Ｍｄ等に電子アルバムとして記憶する処理を行うものである（制御形態は後述する）。そして、電子アルバムとしてデータが記憶された記憶媒体Ｍｄ（例えば、ＤＶＤ−Ｒ）は、図１９に示すパーソナルコンピュータ１２０において地図データや画像データ等の再生が可能となる。
【００４０】
また、電子アルバムとしてデータが記憶された記憶媒体Ｍｄをパーソナルコンピュータ１２０で再生した場合には、ディスプレイ１２１に対して図２０に示す如く、シミュレーションプログラムが再生画面８０を表示し、その画面中に地図データとルートデータ１１０を表示し、そのルートデータ１１０上を車輌シンボル１１１が走行するようにシミュレートを行い、このシミュレートにより車輌シンボル１１１が撮影ポイントＰに達する毎に、その撮影ポイントＰ（位置データ）に関連付けられた画像データをディスプレイＣに表示する処理が行われる。
【００４１】
本発明は、前記マップマッチング手段１１、ナビゲーション手段１２、ルートデータ記憶手段１３、画像データ記憶手段１４、リンク処理手段１５、出力制御手段１６、アルバム化手段１７、アルバム作成手段１８は半導体メモリＲＡＭ上に展開したソフトウエア（プログラム）を想定しているが、一部又は全てをロジック等のハードウエアで構成することも可能である。
【００４２】
本発明のナビゲーションシステムは、前記スイッチ１の操作や、前記リモートコントローラ３を操作によって図４に示す処理メニュー３０をディスプレイＣに表示し、この処理メニュー３０に表示されたアルバム生成ボタン３１、再生モード（シミュレーションモード）での再生ボタン３２や、実走行モードでの再生ボタン３３や、アルバム作成ボタン３４のいずれかのボタンに指を接触させる形態での処理を選択することにより、選択された処理を実行できるように構成されている。
【００４３】
具体的には、この処理メニュー３０においてアルバム生成ボタン３１を操作することによって電子アルバムの作成を実現するものであるが、このシステムでは、アルバム生成ボタン３１を操作する以前に、車輌が走行した位置を自動的に取得し、任意のタイミングで複数の画像データを取得しておくよう処理形態が設定されている。
【００４４】
つまり、図１３のフローチャートに示すように、位置取得手段Ｌが予め設定されたインターバル毎（所定の時間内）に位置データを取得し、その位置データをグループ化したルートデータとして記憶し（＃０１ステップ）、どのようなタイミングでも画像データを取得する画像データ取得ルーチン（＃１００ステップ）を実行する。このような処理は、電子アルバムを生成（電子アルバム化）する処理が選択されるまで継続して行うものであり（＃０２ステップ）、アルバムを生成する処理が選択された場合（アルバム生成ボタン３１を操作した場合）には、前記リンク処理手段１５がリンクデータを生成し（＃２００ステップ）、リンクデータによって画像データが関連付けられた位置データに対応する地図データのインデックスデータをセットし、ルートデータを識別可能なタイトルをセットし、音楽データのインデックスデータをセットした後に、生成された電子アルバムを前記ハードディスクＨＤに記憶する処理が行われる（＃０３〜＃０４ステップ）。また、このように必要なデータを電子アルバム化して、ハードディスクＨＤに記憶する処理は前記アルバム化手段１７によって実現する。
【００４５】
また、記憶媒体に記録する処理が選択された場合（アルバム作成ボタン３４が操作された場合：＃０５ステップのＹｅｓ）には、電子アルバムをディスク状の記憶媒体Ｍｄ（例えば、ＤＶＤ−Ｒ等）に記憶する記憶処理（＃３００ステップ：電子アルバムを作成する処理）を実行し、これらの処理をシステムの作動が終了するまで継続的に行う（＃０６ステップ）。
【００４６】
前記画像データ取得ルーチン（＃１００ステップ）は、図１４のフローチャートに示す如く、前記半導体ドライブ８に記憶媒体Ｍｓがセットされた場合のように、画像データの取得が可能となった状況を把握した場合にのみ、ディスプレイＣに図５に示す選択画面２０を表示する（＃１０１、＃１０２ステップ）。この選択画面２０は、記憶媒体Ｍｓに記憶されている画像データを、画像表示領域２１に対してサムネイル形式で表示するものであり、スクロールバー２２を操作することにより全ての画像データを確認できるものとなっている。また、このように画像表示領域２１に表示された画像データのうち、既に記憶されていることを画像データのファイル番号等から判別されたものは＜記憶済＞等の情報２３を付して表示を行い、このように既に記憶されている画像データを除いた残り全ての画像データを記憶の対象として自動的に選択するように処理形態が設定されている（＃１０３ステップ）。
【００４７】
また、自動的に選択されたものから写りの良くないものや、アルバムに不要と判断したものは、オペレータが表示された画像データに指を接触させる形態で指定した後に、選択解除ボタン２４に指を接触させる形態で操作することで選択を解除でき、この選択解除を行った後に、再度選択する場合には選択スイッチ２５を操作することで選択することが可能であり、また、画像データを指定した後に回転ボタン２６を操作した場合には、指定した画像データを９０度単位で回転させることも可能である。このように選択を行った後には、ＯＫボタン２７を操作することで（＃１０４ステップ）、選択された画像データをハードディスクＨＤに記憶する（＃１０５ステップ）。尚、このように画像データを選択する処理をディスプレイＣのタッチパネル部７を介した操作で実現しているが、前記スイッチ１の操作や、前記リモートコントローラ３を操作して画像データを指定して必要な操作を行うようにインタフェースを設定しても良い。
【００４８】
前記リンクデータ生成ルーチン（＃２００ステップ）を図１５のフローチャートのように示すことが可能である。つまり、この処理が実行されるとディスプレイＣに対して図６に示すように、自動ボタン４１とマニュアルボタン４２とを含む関連付け画面４０を表示する。自動ボタン４１は、撮影ポイントを自動的に関連付ける処理を行い、マニュアルボタン４２は、複数の画像データを観光地に関連付ける処理を行う。
【００４９】
つまり、自動ボタン４１が操作された場合には、前記リンク処理手段１５のタイミングデータ取得部が、前記ハードディスクＨＤに記憶されているタイミングデータを抽出し、前記リンク処理手段１５の撮影日時取得部が各画像データに付随するＥｘｉｆデータから撮影日時データを抽出して比較する。次に、リンク処理手段１５のリンク生成部が、複数のタイミングデータと複数の撮影日時データのうち一致するもの、及び、近似するもの同士を関連付けるリンクデータを生成し（＃２０１〜＃２０３ステップ）、ハードディスクＨＤに記憶するものとなる（＃２０８ステップ）。
【００５０】
つまり、一般的なデジタルカメラ１０５で撮影した画像データにはＥｘｉｆデータが付随しており、位置取得手段ＬがＧＰＳ型のものでは、位置を取得する際には、時間データを必要とするため、この時間データをタイミングデータとして位置データと併せて記憶するよう処理形態を設定している。そして、記憶したタイミングデータと、Ｅｘｉｆデータから抽出した撮影日時データとを比較して、一致するもの、又は、近似するものを関連付リンクデータで関連付けることによって、例えば、位置データと画像データとを画面に表示して編集する形態で関連付けを行うもののように手間を掛けずとも、複数の位置データに対して複数の画像データを一括して関連付けることも可能となっている。
【００５１】
また、マニュアルボタン４２が操作された場合には、既にハードディスクＨＤに観光地として登録されている観光地に対して複数の画像データを関連付ける処理を行い、編集画面を表示してリンクデータの修正を行う（＃２０４〜＃２０６ステップ）。この処理では、図７に示すように、画像表示部５１と、この画像表示部５１に表示される画像データを切り換える選択ボタン５２、５２と、観光地表示部５３と、この観光地表示部５３に表示される観光地をスクロールさせる形態で変更する変更ボタン５４、５４と、登録ボタン５５と、キャンセルボタン５６と、音声入力ボタン５７と、ＯＫボタン５８とが表示されたマニュアル設定画面５０をディスプレイＣに表示し、このマニュアル設定画面５０を介してマニュアル操作で関連付けを行う。
【００５２】
つまり、＃２０５ステップの処理では、Ｅｘｉｆデータに含まれる撮影日時データに対応するタイミングデータを含む位置データが対応する観光地が存在する場合には、その観光地を撮影ポイントとして仮に設定し、かつ、その観光地とＥｘｉｆデータを参照した画像データとを関連付けるリンクデータを仮に生成する。この処理が行われた場合には、画像表示部５１に対して、その観光地で最初に撮影された画像データが表示され、観光地表示部５３の中央に撮影した観光地が表示される。この後、マニュアル設定画面５０の選択ボタン５２を操作することにより、画像表示部５１に表示される画像データが切り換わり、その画像データが関連付けられている観光地を観光地表示部５３の中央に表示されている観光地名で確認できる。この処理では関連付けを自動処理で行うためにオペレータの操作を軽減することが可能である。そして、マニュアル設定画面５０の表示内容から画像データと観光地とが一致している場合には、オペレータが確認の後に登録ボタン５５を操作することで、仮に生成されていたリンクデータと撮影ポイントが確定する。このマニュアル設定画面５０の表示内容から誤りを発見した場合には、オペレータが変更ボタン５４を操作することによって画像データとに関連付ける観光地の変更を行い登録ボタン５５を操作することにより撮影ポイントとリンクデータとが確定する。
【００５３】
また、関連付けをキャンセルする場合や処理を戻す場合にはキャンセルボタン５６を操作し、関連付ける観光地を変更する場合には前述したように変更ボタン５４を操作することになる。更に、音声入力ボタン５７を操作した場合には前記マイクロホン１９を用いて音声を入力した画像データ又は観光地に関連付けることも行えるように構成されている。
【００５４】
そして、このマニュアル設定画面５０による編集が終了した場合にはＯＫボタン５８を操作することにより、処理が終了し、リンクデータが記憶される（＃２０８ステップ）。ちなみに、リンクデータは位置データ（経度、緯度のデータ）と、画像データのファイル番号とを対比して記録した単純な構造のデータである。
【００５５】
前記＃２０５ステップの処理として、前述したように自動的な処理によって観光地と画像データとの関連付けを行うものを説明したが、本発明では、マニュアル処理として、画像表示部５１に表示された個々の画像データと、観光地表示部５３に表示された観光地とをオペレータが人為操作で関連付けるように処理形態を設定しても良い。
【００５６】
次に、前記＃０３ステップでの処理では図８に示すタイトル・音楽画面６０を表示する。同図に示すタイトル入力部６１は、ルートデータを特定するタイトルを入力するために機能するものであり、タイトルを入力する場合には、入力ボタン６２を操作することによりディスプレイＣにアルファベットやカタカナのキーボード（図示せず）を表示し、キーボードに指を接触させる形態で文字情報を入力してタイトルを入力できるよう構成されている。また、音楽データセット部６３に音楽データのタイトルを入力する場合には、プルダウンボタン６４を操作することにより予め記憶してある音楽情報のタイトルの一覧を表示し、必要な場合には、試聴を行うことにより、この一覧中からＢＧＭに設定すべき音楽情報に指を接触させる形態で音楽情報を選択することにより、選択された音楽のタイトルが音楽データセット部６３にセットされ、この後、ＯＫボタン６５を操作することで入力が完了する。
【００５７】
また、＃０４ステップでの処理では、前述したタイトルを付したファイルを生成し、このファイルに対して、位置データ、画像データ、リンクデータ、地図データのインデックスデータ、及び、これらに関連付けられた音楽データのインデックスデータ夫々を記憶することにより電子アルバム化したデータとして前記ハードディスクＨＤに記憶されるのである。
【００５８】
＃３００ステップでの記憶処理を図１６のフローチャートのように示すことができる。つまり、図９に示すタイトル選択画面７０を表示し、この画面のタイトルと曲名との一覧表示部７１に対して前記ハードディスクＨＤに記憶されているタイトルと曲名とを一覧化して表示する。この表示内容はスクロール部７２での操作によって表示内容をスクロールできるように構成され、タイトルの近傍に表示されたチェック部７３にチェックを付与することにより選択を行える。また、選択したものの内容を確認する場合には内容確認ボタン７４を操作することにより、ルートデータの概要とトップの画像データとを表示し（図示せず）、このように複数のタイトルを選択した後にＯＫボタン７５を操作することによって選択が完了する（＃３０１、＃３０２ステップ）。
【００５９】
ちなみに、この処理を含めて＃３００ステップの処理をカーナビゲーションシステムで行うよう処理形態を設定しているが、この処理をＧＰＳ機能を備えたＰＤＡ（Personal Digital Assistance）やＧＰＳユニットから位置データを取得するノート型のパーソナルコンピュータで行うよう電子アルバム作成装置を構成しても良い。
【００６０】
次に、図面には示さないが、確認画面を表示し、タイトルと音楽データとの内容を確認すると同時に、必要な場合には、図８に示すタイトル・音楽画面６０と同様の画面を表示してタイトルと音楽データとの編集を行えるよう設定されている（＃３０３、＃３０４ステップ）。
【００６１】
次に、選択された夫々のタイトルに対応するルートデータを１画面に表示し得る縮尺の概略地図データを抽出する処理を行った後、選択されたタイトルに対応するルートデータと、画像データと、リンクデータと、設定された音楽データと、前述した処理で抽出した概略地図データとをＤＶＤ−Ｒ等のディスク状の記憶媒体Ｍｄに対して記憶し、更に、シミュレーションプログラムを記憶媒体に記憶する（＃３０５〜＃３０７ステップ）。このように抽出される概略地図データは、本発明では、必ずしもルートデータの全てを１画面に表示する縮尺でなくとも良く、例えば、撮影ポイントが集中するルートデータ部分のみを示す地図データであって良く、僅かにスクロールする縮尺の地図データであっても良い。また、概略地図データとしては、ルートデータの地理上の位置関係を把握できるものであれば、道路や地形を単純なラインで表示するものであっても良い。
【００６２】
特に、本発明では、概略地図データとしてナビゲーションシステムのハードディスクＨＤに予め記憶した地図データを用いているが、この概略地図データとしてイラスト的なものや単純なライン状や観光地図のように単純でデータ量の少ないものを、ナビゲーションシステムのハードディスクＨＤに予め記憶しておき、このように記憶した概略地図データを用いることも可能である。更に、この概略地図データは前記ドライブユニットＥを介して外部から取得するものであっても良い。具体的には、ドライブユニットＥを介して外部からイラスト的なものや単純なライン状や観光地図のように複数種の概略地図データの一覧をディスプレイＣに表示し、この一覧から必要とするものを選択するように処理形態を設定しても良い。
【００６３】
このナビゲーションシステムでは、電子アルバムを生成してシステムに記憶した後には、前記処理メニュー３０をディスプレイＣに表示してシミュレーションモードでの再生ボタン３２を操作することによりシミュレーションモードで画像データの表示を行い、実走行モードでの再生ボタン３３を操作することにより実走行モードでの画像データの表示を行うよう構成されている。
【００６４】
具体的に説明すると、シミュレーションモードでの再生ボタン３２を操作した場合には、図１０に示す再生画面８０を表示すると共に、前記シミュレーションプログラムが図１７のフローチャートに示される処理を実行する。つまり、処理を開始するとディスプレイＣにタイトルの一覧を表示し、その一覧から再生するものを選択することにより、そのタイトルに対応して設定されている音楽をインデックスデータから指定して再生し、また、前記シミュレーションプログラムが、地図データのインデックスデータが示す地図データをディスプレイＣに表示し、ルートデータ１１０をライン状に表示し、前記ハードディスクＨＤに記憶されているルートデータ上に存在する位置データを、設定されたインターバルで時間軸に沿って指定する形態で更新し（ルートデータ記憶手段１３で取得された順序で再生し）、ルートデータ１１０上において、更新される位置データに対応した位置に車輌シンボル１１１を表示する（＃４０１〜＃４０３ステップ）。
【００６５】
複数の位置データは、緯度データと経度データとが異なるものであるため、前述のように、設定されたインターバルで位置データを更新することにより、夫々の位置データに対応する車輌シンボル１１１は、ルートデータ１１０を移動する形態（シミュレーションする形態）で表示されることになる。また。前記インターバルは、現実に車輌が走行した際に位置データを取得したインターバルより短く設定しており、シミュレーションを行う際の時間を短縮している。
【００６６】
次に、位置データとリンクデータとを対比することにより、関連付けられた位置データの存否を判断し、一致するリンクデータが存在する場合には、その位置データに関連付けられた画像データを表示領域８１に表示する処理が実行される（＃４０４〜＃４０６ステップ）。
【００６７】
画像データを表示する場合、同じ撮影ポイントで複数の画像データが撮影されている場合も多くあり、このような場合には、その位置データに関連付けられた画像データの全ての表示が完了するまで位置データの更新を停止する処理が行われる。また、撮影ポイント毎に画像データを表示する処理は、前記関連付け画面４０において自動ボタン４１を操作して関連付けを行った場合の表示形態であり、前記関連付け画面４０においてマニュアルボタン４２を操作して関連付けを行った場合には、車輌シンボル１１１が特定の観光地に達した時点に、その観光地に関連付けられた複数の画像データが設定されたインターバルで表示される。
【００６８】
本発明は、ルートデータ１１０上に撮影ポイントＰであることを示すシンボルをドット状に表示することを想定しているが、このシンボルを全く表示しないことや、ルートデータ１１０上にサムネイル形式で画像データを表示するよう処理形態を設定することも考えられる。
【００６９】
また、この再生画面８０には、再生を実行する制御や早送り等を実現する制御ボタン８２が表示され、再生状況をタイムライン上で表示するインジケータ８３が表示され、例えば、早送りや巻き戻しやインジケータ８３の操作によって位置データが変更された場合には、変更後の位置データをセットして、上記したように画像データを表示する処理が、この処理が終了するまで継続的に行われる（＃４０７、＃４０８、＃４０９ステップ）。尚、この再生画面８０には画像データの総数と現在の表示数とを表示するカウンター８４が形成されている。
【００７０】
また、前記処理メニュー３０をディスプレイＣに表示して実走行モードでの再生ボタン３３を操作した場合には、図１１に示す再生画面９０を表示すると共に、図１１のフローチャートに示される処理を実行する。つまり、前記位置取得手段Ｌで取得した位置データに対応した地図データをディスプレイＣに表示すると同時に、位置データに対応する位置に車輌シンボル１１１を表示すると云う通常のナビゲーション処理を実行し（＃５０１ステップ）、このナビゲーション時に前記位置取得手段Ｌが取得した位置データとリンクデータとを対比し、一致又は近接するリンクデータが存在する場合には、そのリンクデータによって関連付けられている画像データを表示領域９１に表示する処理が、この処理が終了するまで継続的に行われる（＃５０２〜＃５０５ステップ）。
【００７１】
このように撮影ポイント毎に画像データを表示する処理では、１つの撮影ポイントＰに１つの画像データがリンクデータによって関連付けられている場合には、車輌シンボル１１１が撮影ポイントＰに達する毎に１つの画像データを表示する単純な表示形態となるが、自動ボタン４１を操作した場合でも、マニュアルボタン４２を操作した場合でも、結果として１つの撮影ポイントＰに対して複数の画像データが関連付けられていると、１つの撮影ポイントＰ（例えば観光地）に複数の画像データが関連付けられている場合には、車輌シンボル１１１が撮影ポイントＰに達した時点に、その観光地に関連付けられた複数の画像データが設定された時間間隔毎に表示される。
【００７２】
この処理においても、ルートデータ１１０上に撮影ポイントＰであることを示すシンボルをドット状に表示することを想定しているが、このシンボルを表示しないことや、ルートデータ１１０上にサムネイル形式で画像データを表示するよう処理形態を設定することも考えられる。
【００７３】
また、ＤＶＤ−Ｒ等の記憶媒体Ｍｄにデータを記憶して電子アルバムを作成した場合に、その記憶媒体Ｍｄをパーソナルコンピュータ１２０にセットして前記シミュレーションプログラムを実行した場合には、前述したように、ナビゲーションシステムのハードディスクＨＤに記憶した電子アルバムをシミュレーションモードで再生する場合と同様に、このシミュレーションモードでの再生と同じ画面９０がパーソナルコンピュータ１２０のディスプレイ１２１に表示されるが、地図データの構造だけが異なる。つまり、ディスプレイＣにタイトルの一覧を表示し、その一覧から再生すべきものを選択することにより、そのタイトルに対応して設定されている音楽を再生し、ディスプレイＣに地図データを表示する。この地図データは図２０に示すように、スタート位置ＳＰ（始端位置の一例）と、このスタート位置ＳＰから最も離れた撮影ポイントＰ（終端位置の一例）とを含む全ての撮影ポイントを１つの画面に表示し得る縮尺（拡大率）のものであり、ルートデータ１１０上を車輌シンボル１１１が移動する際に、地図データを全くスクロールせずに済むものにしているのである。
【００７４】
そして、前述と同様に、設定されたインターバルで位置データを更新することにより、車輌シンボル１１１はルートデータ１１０を移動する形態で表示される。また、位置データとリンクデータとが一致するリンクデータが存在する場合には、その位置データに関連付けられた画像データを表示領域８１に表示する。このように画像データを表示する場合、同じ撮影ポイントＰで複数の画像データが撮影されている場合も多くあり、このような場合には、その位置データに関連付けられた画像データの全ての表示が完了するまで、位置データの更新を停止する処理が行われる。
【００７５】
前記再生画面８０には、再生を実行する制御や早送り等を実現する制御ボタン８２が表示され、再生状況をタイムライン上で表示するインジケータ８３が表示され、例えば、早送りや巻き戻しやインジケータ８３の操作によって位置データが変更された場合には、変更後の位置データをセットして、上記したように画像データを表示する処理が継続的に行われ、表示された画像データの数をカウンター８４で把握できるのである。
【００７６】
このように、本発明によると、カーナビゲーションシステム等で取得される位置データからルートデータを生成し、夫々のルートデータ上に設定した撮影ポイントにデジタルカメラ１０５で撮影された画像データを関連付けて記憶する処理、又は、ルートデータ上に存在する観光地毎に画像データを関連付けて電子アルバムとしてシステムに記憶する処理を行うことにより、ルートデータに対応したタイトルを指定してシミュレーションを行う形態で画像データを表示することが可能となり、また、電子アルバムを記憶媒体に記憶する場合には、カーナビゲーションシステムに予め記憶してあるデータ量が少ない概略地図データ、あるいは、外部から取得した概略地図データが記憶媒体に記憶されるため、記憶媒体に記憶するデータ量を低減し、例えば、記憶可能な画像データの数を増大させることを可能にしているのである。
【００７７】
〔別実施形態〕
本発明は、上記した実施の形態以外に以下のように構成しても良い。
【００７８】
（イ）電子アルバム作成装置として、例えば、カーナビゲーションシステム以外のＧＰＳ等の位置取得手段で取得した位置データを取得してルートデータを生成し（ルートデータ生成手段）、メディアドライブや入力端子等の画像データ取得部を介して画像データを取得し画像データ記憶部に記憶し（画像データ記憶手段）、リンクデータを生成してリンクデータ記憶部に記憶し（リンク処理手段）、これらを電子アルバム作成手段に与えるよう構成し、この電子アルバム作成手段では、ハードディスクＨＤ等の記憶手段に複数種の概略地図データを記憶しておき、オペレータが必要とするものを選択するよう処理形態を設定するものが良好な操作形態を現出するが、外部からＤＶＤ等のメディアや通信手段を介して与えられる概略地図データに基づいて電子アルバムを作成するよう構成することも可能である。
【００７９】
つまり、本発明の電子アルバム作成装置は、位置データを取得するためのＧＰＳユニットや画像データを取得する端末、概略地図データを取得する端末等のハードウエアを除く構成要素、つまり、前記ルートデータ生成手段、画像データ記憶手段、リンク処理手段、電子アルバム作成手段をソフトウエアで構成することが可能あるため、これらのソフトウエアをインストールしたＰＤＡ（Personal Digital Assistance）やパーソナルコンピュータをベースにして必要とするハードウエアを備えて構成することも可能である。
【００８０】
（ロ）一度訪れた撮影ポイントＰに対して、再び訪れてデジタルカメラ１０５で写真を撮影した場合には、その画像データを、既に設定されている撮影ポイントに付加する形態で記憶することや、再び訪れた際のルートデータ上の撮影ポイントＰに対して以前訪れた際の画像データを付加する形態で記憶するよう処理形態を設定することも可能である。このような処理を行う場合にはリンク処理手段１５が関連付けを行う際の処理形態を変更で済み、画像データを再生する場合には、過去の画像データと、それ以降の画像データとを組み合わせた形態で表示して観賞できるものとなる。
【００８１】
（ハ）ディスプレイＣに画像データを表示する際に、地図データを背景にした表示形態を採用していたが、これに代えて、ディスプレイＣの全画面に画像データを表示し、この画像データの一部に地図データを表示するよう表示形態を設定することも可能となる。
【００８２】
（ニ）本発明のパーソナルコンピュータとは、ノート型やデスクトップ型に限るものではなく、実施形態で示したナビゲーションシステムやゲームマシンのように、セットされた記憶媒体からデータを読み出し、記憶媒体に記憶されたデータに基づいて処理を行うことにより、記憶媒体に記憶された画像データをディスプレイに表示できる機能を具備したもの全般を指すものである。
【図面の簡単な説明】
【００８３】
【図１】ナビゲーションシステムの構成を示す図
【図２】乗用車に備えたナビゲーションシステムを示す図
【図３】ナビゲーションシステムのブロック回路図
【図４】処理メニューを示す図
【図５】選択画面を示す図
【図６】関連付け画面を示す図
【図７】マニュアル設定画面を示す図
【図８】タイトル・音楽画面を示す図
【図９】タイトル選択画面を示す図
【図１０】再現モードにおける再生画面を示す図
【図１１】実走行モードにおける再生画面を示す図
【図１２】Ｅｘｉｆデータの構造を示す図
【図１３】電子アルバム作成時の処理を表すフローチャート
【図１４】画像データ取得ルーチンのフローチャート
【図１５】リンクデータ生成ルーチンのフローチャート
【図１６】記憶処理ルーチンのフローチャート
【図１７】再現モードでの再生処理を表すフローチャート
【図１８】実走行モードでの再現処理を表すフローチャート
【図１９】パーソナルコンピュータを示す斜視図
【図２０】パーソナルコンピュータに表示した再生画面を示す図
【符号の説明】
【００８４】
５            画像データ取得部
１３          ルートデータ記憶手段
１４          画像データ記憶手段
１５          リンク処理手段
１７          アルバム作成手段
１１１        指標
１２０        パーソナルコンピュータ
１２１        ディスプレイ
Ｅ            画像データ取得部、メディアドライブ
Ｍｄ          記憶媒体
Ｌ            位置取得手段
Ｐ            撮影ポイント
【図１】
2006126953.tif 000003
【図２】
2006126953.tif 000004
【図３】
2006126953.tif 000005
【図４】
2006126953.tif 000006
【図５】
2006126953.tif 000007
【図６】
2006126953.tif 000008
【図７】
2006126953.tif 000009
【図８】
2006126953.tif 000010
【図９】
2006126953.tif 000011
【図１０】
2006126953.tif 000012
【図１１】
2006126953.tif 000013
【図１２】
2006126953.tif 000014
【図１３】
2006126953.tif 000015
【図１４】
2006126953.tif 000016
【図１５】
2006126953.tif 000017
【図１６】
2006126953.tif 000018
【図１７】
2006126953.tif 000019
【図１８】
2006126953.tif 000020
【図１９】
2006126953.tif 000021
【図２０】
2006126953.tif 000022